(57)【要約】【課題】位置情報を柔軟に活用すること。【解決手段】本願に係る情報制御装置は、取得部と、情報制御部とを備える。取得部は、ユーザがサービス側に提供する位置情報の程度を示す情報であって、当該ユーザによって設定される情報である位置情報設定を取得する。情報制御部は、取得部によって取得された位置情報設定に基づいて、ユーザに提供されるサービスのレベルを制御する。例えば、取得部は、位置情報設定として、ユーザがサービス側に位置情報を提供する頻度を取得する。情報制御部は、取得部によって取得された頻度に基づいて、ユーザに提供されるサービスのレベルを制御する。【選択図】図１
2019128784.tif 000002
【特許請求の範囲】
【請求項１】
ユーザがサービス側に提供する位置情報の程度を示す情報であって、当該ユーザによって設定される情報である位置情報設定を取得する取得部と、
前記取得部によって取得された位置情報設定に基づいて、前記ユーザに提供されるサービスのレベルを制御する情報制御部と、
を備えたことを特徴とする情報制御装置。
【請求項２】
前記取得部は、
前記位置情報設定として、前記ユーザがサービス側に位置情報を提供する頻度を取得し、
前記情報制御部は、
前記取得部によって取得された頻度に基づいて、前記ユーザに提供されるサービスのレベルを制御する、
ことを特徴とする請求項１に記載の情報制御装置。
【請求項３】
前記取得部は、
前記位置情報設定として、前記ユーザがサービス側に提供する位置情報の精度を取得し、
前記情報制御部は、
前記取得部によって取得された精度に基づいて、前記ユーザに提供されるサービスのレベルを制御する、
ことを特徴とする請求項１又は２に記載の情報制御装置。
【請求項４】
前記取得部は、
前記位置情報設定として、前記ユーザが利用する端末装置の位置情報が取得される際の取得手段に関する設定を取得し、
前記情報制御部は、
前記取得部によって取得された前記取得手段に関する設定に基づいて、前記ユーザに提供されるサービスのレベルを制御する、
ことを特徴とする請求項１〜３のいずれか一つに記載の情報制御装置。
【請求項５】
前記取得部は、
前記位置情報設定として、日常的に前記ユーザが所定時間を超えて所在する位置である拠点に関する情報を、当該ユーザがサービス側に提供する位置情報から除外するか否かの設定を取得し、
前記情報制御部は、
前記ユーザが前記拠点に関する情報をサービス側に提供する位置情報から除外するか否かの設定に基づいて、前記ユーザに提供されるサービスのレベルを制御する、
ことを特徴とする請求項１〜４のいずれか一つに記載の情報制御装置。
【請求項６】
前記取得部は、
複数のサービスに共通して設定される前記位置情報設定を取得し、
前記情報制御部は、
前記取得部によって取得された位置情報設定に基づいて、前記ユーザに提供される複数のサービスのレベルを一括に制御する、
ことを特徴とする請求項１〜５のいずれか一つに記載の情報制御装置。
【請求項７】
前記取得部は、
前記ユーザが利用する端末装置にインストールされた複数のアプリケーションに共通して設定される前記位置情報設定を取得し、
前記情報制御部は、
前記取得部によって取得された位置情報設定に基づいて、前記複数のアプリケーションの各々を介して前記ユーザに提供される各々のサービスのレベルを一括に制御する、
ことを特徴とする請求項６に記載の情報制御装置。
【請求項８】
前記取得部は、
前記位置情報設定として、前記ユーザのサービスの利用に基づく情報を当該ユーザの位置を示す情報として利用するか否かの設定を取得し、
前記情報制御部は、
前記ユーザのサービスの利用に基づく情報を当該ユーザの位置を示す情報として利用するか否かの設定に基づいて、前記ユーザに提供されるサービスのレベルを制御する、
ことを特徴とする請求項１〜７のいずれか一つに記載の情報制御装置。
【請求項９】
前記取得部は、
前記ユーザが前記位置情報設定を所定のレベルに設定した期間に関する情報を取得し、
前記情報制御部は、
前記取得部によって取得された期間に基づいて、前記位置情報設定の変更を促す通知を前記ユーザに送信する、
ことを特徴とする請求項１〜８のいずれか一つに記載の情報制御装置。
【請求項１０】
前記取得部は、
前記ユーザのコンテキストを取得し、
前記情報制御部は、
前記取得部によって取得されたコンテキストに基づいて、前記位置情報設定の変更を促す通知を前記ユーザに送信する、
ことを特徴とする請求項１〜９のいずれか一つに記載の情報制御装置。
【請求項１１】
前記取得部は、
前記ユーザのコンテキストを取得し、
前記情報制御部は、
前記取得部によって取得されたコンテキストに基づいて、前記ユーザに提供されるサービスのレベルを動的に制御する、
ことを特徴とする請求項１〜１０のいずれか一つに記載の情報制御装置。
【請求項１２】
コンピュータによって実行される情報制御方法であって、
ユーザがサービス側に提供する位置情報の程度を示す情報であって、当該ユーザによって設定される情報である位置情報設定を取得する取得工程と、
前記取得工程によって取得された位置情報設定に基づいて、前記ユーザに提供されるサービスのレベルを制御する情報制御工程と、
を含んだことを特徴とする情報制御方法。
【請求項１３】
ユーザがサービス側に提供する位置情報の程度を示す情報であって、当該ユーザによって設定される情報である位置情報設定を取得する取得手順と、
前記取得手順によって取得された位置情報設定に基づいて、前記ユーザに提供されるサービスのレベルを制御する情報制御手順と、
をコンピュータに実行させることを特徴とする情報制御プログラム。
【発明の詳細な説明】
【技術分野】
【０００１】
本発明は、情報制御装置、情報制御方法及び情報制御プログラムに関する。
【背景技術】
【０００２】
従来、ユーザが所有する端末装置から位置情報を取得し、取得した位置情報に基づいて各種情報処理を行う技術が提案されている。
【０００３】
ここで、位置情報を提供する端末装置側に関する技術として、予め設定してある許可条件を満たすか否かを判別することにより、自身の位置情報についての公開レベルを決定する技術が知られている。
【先行技術文献】
【特許文献】
【０００４】
【特許文献１】特開２００９−２９６６７３号公報
【発明の概要】
【発明が解決しようとする課題】
【０００５】
しかしながら、上記の従来技術では、位置情報を柔軟に活用することができるとは限らない。具体的には、従来技術では、端末側の位置情報の公開レベルを設定することができるに過ぎず、例えば位置情報を活用してサービスを端末側に提供するサービス側に対しては、かかる技術を適用することは難しい。
【０００６】
本願は、上記に鑑みてなされたものであって、位置情報を柔軟に活用することができる情報制御装置、情報制御方法及び情報制御プログラムを提供することを目的とする。
【課題を解決するための手段】
【０００７】
本願に係る情報制御装置は、ユーザがサービス側に提供する位置情報の程度を示す情報であって、当該ユーザによって設定される情報である位置情報設定を取得する取得部と、前記取得部によって取得された位置情報設定に基づいて、当該ユーザに提供されるサービスのレベルを制御する情報制御部と、を備えたことを特徴とする。
【発明の効果】
【０００８】
実施形態の一態様によれば、位置情報を柔軟に活用することができるという効果を奏する。
【図面の簡単な説明】
【０００９】
【図１】図１は、実施形態に係る情報制御処理の一例を示す図である。
【図２】図２は、実施形態に係る情報制御システムの構成例を示す図である。
【図３】図３は、実施形態に係るユーザ端末の構成例を示す図である。
【図４】図４は、実施形態に係る情報制御装置の構成例を示す図である。
【図５】図５は、実施形態に係るユーザ情報記憶部の一例を示す図である。
【図６】図６は、実施形態に係る位置情報記憶部の一例を示す図である。
【図７】図７は、実施形態に係るサービス情報記憶部の一例を示す図である。
【図８】図８は、実施形態に係る処理手順を示すフローチャート（１）である。
【図９】図９は、実施形態に係る処理手順を示すフローチャート（２）である。
【図１０】図１０は、変形例に係るサービス情報記憶部の一例を示す図である。
【図１１】図１１は、情報制御装置の機能を実現するコンピュータの一例を示すハードウェア構成図である。
【発明を実施するための形態】
【００１０】
以下に、本願に係る情報制御装置、情報制御方法及び情報制御プログラムを実施するための形態（以下、「実施形態」と呼ぶ）について図面を参照しつつ詳細に説明する。なお、この実施形態により本願に係る情報制御装置、情報制御方法及び情報制御プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１１】
〔１．実施形態に係る情報制御処理の一例〕
まず、図１を用いて、実施形態に係る情報制御処理の一例について説明する。図１は、実施形態に係る情報制御処理の一例を示す図である。図１では、情報制御装置１００が、ユーザがサービス側に提供する位置情報の程度を示す情報であって、当該ユーザによって設定される情報である位置情報設定を取得し、取得した位置情報設定に基づいて、当該ユーザに提供されるサービスのレベルを制御する処理を行う一例を示す。
【００１２】
図１に示す情報制御装置１００は、実施形態に係る情報制御処理を実行する情報処理装置であり、例えば、ユーザが利用する端末と相互に通信を行うサーバ装置である。また、実施形態に係る情報制御装置１００は、ユーザから取得した位置情報を利用して所定のサービスを提供するサービスサーバとしての機能を有する。実施形態では、情報制御装置１００は、例えば、各ユーザが所在する位置に合わせて災害情報を発信するサービスを提供する。
【００１３】
図１に示すユーザ端末１０は、スマートフォン等の情報処理端末である。実施形態では、ユーザ端末１０は、情報制御装置１００が提供するサービスを利用するユーザの一例であるユーザＵ０１によって利用される。なお、以下では、ユーザＵ０１など個々のユーザを特に区別しない場合は、「ユーザ」と総称する。また、以下では、ユーザ端末１０をユーザと読み替える場合がある。例えば、「ユーザが位置情報を送信する」とは、実際には、「ユーザが利用するユーザ端末１０が位置情報を送信する」ことを意味する場合がある。
【００１４】
ユーザ端末１０は、例えばＧＰＳ（Global  Positioning  System）等を利用して、自装置が所在する位置（例えば経度や緯度の数値等）を検知し、検知した位置を示す情報である位置情報を取得する。なお、位置情報は、位置を示す情報のみならず、その位置が検知された時間を含んでもよい。そして、ユーザ端末１０は、例えば情報制御装置１００の要求に従い、検知した位置情報を情報制御装置１００に送信する。具体的には、ユーザ端末１０は、情報制御装置１００がユーザに提供するサービスであって、位置情報を利用するサービス（図１の例では、災害情報発信サービス）の提供を受けるために、定期的かつ継続的に位置情報を情報制御装置１００に送信する。ユーザ端末１０から送信される位置情報は、情報制御装置１００が有する記憶部に蓄積され、種々の情報処理に利用される。なお、情報制御装置１００は、ユーザ端末１０から送信される位置情報を自身で利用するのではなく、所定のサービスの提供者（種々のサービスを提供するウェブサーバ等）に提供してもよい。
【００１５】
ところで、位置情報は各ユーザの個人情報に該当するため、ユーザによっては、サービス側への積極的な提供に対して抵抗がある場合がある。例えば、ユーザは、位置情報を提供することにより、自宅の位置が特定されたり、常に自身の行動が追跡されたりすることを危惧することがある。しかしながら、サービス側としては、より正確なユーザの位置を特定できた方が質のよいサービスを提供できるため、より多くの位置情報を得たいというニーズがある。
【００１６】
そこで、実施形態に係る情報制御装置１００は、ユーザがサービス側に提供する位置情報の程度を示す情報であって、当該ユーザによって設定される情報である位置情報設定を取得する。具体的には、情報制御装置１００は、ユーザがどれくらいの程度の位置情報を情報制御装置１００に提供するか、といった設定に関する情報である位置情報設定を取得する。そして、情報制御装置１００は、取得した位置情報設定に基づいて、当該ユーザに提供されるサービスのレベルを制御する。すなわち、情報制御装置１００は、各ユーザの要望に沿って、サービス側に提供する位置情報の取捨選択（オプトイン、オプトアウトとも称される）を行うことのできる環境を提供する。そして、情報制御装置１００は、ユーザによって設定された位置情報設定に基づいてサービスを提供する。これにより、情報制御装置１００は、ユーザから提供される位置情報の程度に合わせて適切なサービスを提供することができるため、位置情報を柔軟に活用することができる。また、ユーザにとっては、自身の要望に合わせて提供する位置情報の程度を選択できるため、安心感を抱いてサービスを利用することができる。以下、実施形態に係る情報制御処理について、図１を用いて流れに沿って説明する。
【００１７】
図１に示す例において、ユーザＵ０１は、情報制御装置１００から提供される災害情報発信サービスの利用を要求する。例えば、ユーザＵ０１は、情報制御装置１００が提供するスマートフォン用のアプリケーション（以下、単に「アプリ」と称する）をユーザ端末１０にインストールする。そして、ユーザＵ０１は、当該アプリを介して、情報制御装置１００からサービスの提供を受ける。
【００１８】
ユーザＵ０１が利用するアプリは、ユーザＵ０１が情報制御装置１００に提供する位置情報の程度の設定を行うための機能を有する。位置情報の程度の設定とは、例えば、サービスを享受するためにユーザＵ０１が情報制御装置１００に提供する位置情報の精度や頻度の設定である。具体的には、位置情報の程度は、自身の位置をどのような精度で提供するか（数メートル単位までを特定可能な位置情報を提供するか、あるいは数１００メートル単位までを特定可能な位置情報を提供するか等）、また、どのような頻度で提供するか（数１０分毎、数時間毎、あるいは１日毎等）で示される。
【００１９】
例えば、ユーザＵ０１は、アプリの一機能として組み込まれた位置情報設定のインターフェイス５０を介して、位置情報を提供する程度を設定する（ステップＳ０１）。
【００２０】
図１に示すように、インターフェイス５０には、「提供を許可する情報を選択してください」等の指示が示された指示テキスト５２や、提供する位置情報の程度を選択するためのスライダ５４や、サービスの提供内容を示す機能説明テキスト５６を含む。
【００２１】
ユーザＵ０１は、例えばスライダ５４を操作することにより、情報制御装置１００に提供する位置情報の程度を選択することができる。図１の例では、スライダ５４は、位置情報「ＯＦＦ」に近づくほど提供する位置情報の程度は低くなり、位置情報「ＭＡＸ」に近づくほど、ユーザが提供する位置情報の程度は高くなるものとする。
【００２２】
また、図１では、各位置情報の提供の程度（レベル）をレベル「Ａ」、「Ｂ」及び「Ｃ」として示しているが、各レベルにおいて提供される位置情報の程度は、例えば、情報制御装置１００が有する所定の定義情報等により決定される。具体的には、レベルＡであれば、ユーザＵ０１は、「１時間毎」の頻度で、また、「数１００メートル」単位まで位置を特定可能な精度で、位置情報を情報制御装置１００に提供する。なお、図１では図示を省略しているが、どのくらいの位置情報の程度を提供するかといった具体的な内容は、予めインターフェイス５０に表示されていてもよい。
【００２３】
例えば、ユーザＵ０１は、機能説明テキスト５６を参照し、自身が所望するサービスのレベルを確認する。そして、ユーザＵ０１は、少なくとも自身が享受したいサービスのレベルと対応する位置情報設定のレベルを、スライダ５４を利用して決定する。
【００２４】
ユーザＵ０１がスライダ５４を動かし、自身の位置情報設定を決定した場合、アプリを介して、決定された情報が情報制御装置１００に送信される。すなわち、ユーザ端末１０は、ユーザＵ０１が決定した位置情報設定を情報制御装置１００に送信する（ステップＳ０２）。
【００２５】
その後、ユーザ端末１０は、位置情報設定に合わせた位置情報を情報制御装置１００に継続的に送信する。例えば、情報制御装置１００は、アプリの機能を介して、ユーザの位置とユーザの識別情報（ＩＤ）とを対応付けた位置情報を定期的に要求する。ユーザ端末１０は、情報制御装置１００の要求に応答して、ユーザＵ０１の位置情報を情報制御装置１００に送信する。なお、ユーザの識別情報とは、例えば、情報制御装置１００が提供するサービスにおいて各ユーザに付与されるサービス用ＩＤ（ユーザアカウント）等である。これにより、情報制御装置１００は、一人のユーザが複数のユーザ端末１０を利用していたり、異なる環境でサービスにログインしていたりする場合でも、当該ユーザを一意に特定して位置情報を取得することができる。また、情報制御装置１００は、ユーザの識別情報として、サービスを利用した際のクッキー（Cookie）情報や、端末固有の端末ＩＤ等を利用してもよい。情報制御装置１００は、一意にユーザを特定し、特定したユーザから位置情報を継続的に取得する。例えば、情報制御装置１００は、位置情報設定によって設定された所定時間おき（例えば１０分、１時間、１日毎など）にユーザの位置情報を取得する。
【００２６】
情報制御装置１００は、ユーザＵ０１から取得した位置情報設定に基づいて、ユーザＵ０１に提供するサービスのレベルを制御する（ステップＳ０３）。例えば、情報制御装置１００は、位置情報設定としてユーザＵ０１がレベルＡを選択した場合、レベルＡに対応するレベルのサービスがユーザＵ０１に提供されるよう制御する。
【００２７】
そして、情報制御装置１００は、位置情報設定、及び、ユーザ端末１０から定期的に取得する位置情報に基づいて、ユーザＵ０１にサービスを提供する（ステップＳ０４）。具体的には、情報制御装置１００は、機能説明テキスト５６の「レベルＡ」の項目においてユーザＵ０１に提示した内容で災害情報発信サービスを提供する。
【００２８】
ユーザＵ０１は、例えば、レベルＡに対応するサービスレベルで満足できる場合にはスライダ５４の設定を変更せず、より充実したサービスを受けることを所望する場合には、スライダ５４の設定を「レベルＢ」や「レベルＣ」や「レベルＭＡＸ」等に変更することができる。
【００２９】
このように、実施形態に係る情報制御装置１００は、ユーザＵ０１がサービス側に提供する位置情報の程度を示す情報であって、ユーザＵ０１によって設定される情報である位置情報設定を取得する。そして、情報制御装置１００は、取得した位置情報設定に基づいて、ユーザＵ０１に提供されるサービスのレベルを制御する。
【００３０】
すなわち、実施形態に係る情報制御装置１００は、位置情報を利用するサービスにおいて、ユーザＵ０１が自らの意志で位置情報を提供する程度を設定した位置情報設定に基づいて、ユーザＵ０１に提供するサービスのレベルを制御する。これにより、情報制御装置１００は、例えば詳細な位置情報を提供してより充実したサービスを受けたいというユーザの要望や、例えば簡易な位置情報の提供にとどめつつ、提供した程度に合わせたサービスを受けたいというユーザの要望との双方に応えることができる。結果として、情報制御装置１００は、位置情報を一元的に取得したり利用したりするのではなく、各ユーザに合わせて適切なサービスを提供するなど、位置情報を柔軟に活用することができる。
【００３１】
なお、上記の図１の例において、情報制御装置１００は、ユーザ端末１０が検知した位置情報をユーザ端末１０から取得することを示した。しかし、情報制御装置１００は、ユーザ端末１０からの送信によらず、所定時間おきにユーザ端末１０をクロール（crawl）することにより、位置情報を取得するようにしてもよい。また、情報制御装置１００は、必ずしもユーザ端末１０自身が検知した位置情報を取得するのではなく、情報制御装置１００がユーザ端末１０から検出した情報に基づいてユーザ端末１０の位置を推定し、推定した情報をユーザ端末１０の位置情報としてもよい。以下、上記のような実施形態に係る情報制御処理を実行する情報制御装置１００、及び情報制御装置１００を含む情報制御システム１について、詳細に説明する。
【００３２】
〔２．情報制御システムの構成〕
次に、図２を用いて、実施形態に係る情報制御装置１００が含まれる情報制御システム１の構成について説明する。図２は、実施形態に係る情報制御システム１の構成例を示す図である。図２に例示するように、実施形態に係る情報制御システム１には、ユーザ端末１０と、情報制御装置１００とが含まれる。これらの各種装置は、ネットワークＮを介して、有線又は無線により通信可能に接続される。また、図２に示す情報制御システム１に含まれる各装置の数は図示したものに限られない。例えば、情報制御システム１には、複数台のユーザ端末１０が含まれてもよい。
【００３３】
ユーザ端末１０は、上述のように、スマートフォンを含む携帯電話機や、タブレット端末や、デスクトップ型ＰＣ（Personal  Computer）や、ノート型ＰＣや、ＰＤＡ（Personal  Digital  Assistant）等の情報処理端末である。また、ユーザ端末１０には、眼鏡型や時計型の情報処理端末であるウェアラブルデバイス（wearable  device）も含まれる。さらに、ユーザ端末１０には、位置情報を取得するための情報処理機能を有する種々のスマート機器が含まれてもよい。例えば、ユーザ端末１０には、ＴＶ（Television）や冷蔵庫、掃除機などのスマート家電や、自動車などのスマートビークル（Smart  vehicle）や、ドローン（drone）、家庭用ロボットなどが含まれてもよい。
【００３４】
ユーザ端末１０は、ユーザによる操作や、ユーザ端末１０が有する機能に応じて、自装置の位置情報を取得し、記憶する。例えば、ユーザ端末１０は、上述したＧＰＳシステムなどの外部システムと通信を行うことによって位置情報を取得する。そして、ユーザ端末１０は、取得した位置情報を情報制御装置１００に送信する。
【００３５】
情報制御装置１００は、上述のように、ユーザから位置情報設定を取得し、取得した位置情報設定に基づいて、当該ユーザに提供されるサービスのレベルを制御するサーバ装置である。
【００３６】
例えば、情報制御装置１００は、位置情報を利用して災害情報や各種警報情報を提供する災害情報発信サービスを提供する。なお、情報制御装置１００は、災害情報発信サービス以外にも、種々のサービスを提供してもよい。また、情報制御装置１００は、サービスに係るウェブサイトを提供するウェブサーバとしての機能を有していてもよい。例えば、情報制御装置１００は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報を含むウェブページをユーザ端末１０に配信してもよい。
【００３７】
〔３．ユーザ端末の構成〕
次に、図３を用いて、実施形態に係るユーザ端末１０の構成について説明する。図３は、実施形態に係るユーザ端末１０の構成例を示す図である。図３に示すように、ユーザ端末１０は、通信部１１と、入力部１２と、表示部１３と、検知部１４と、記憶部１５と、制御部１６とを有する。
【００３８】
（通信部１１について）
通信部１１は、ネットワークＮと有線又は無線で接続され、情報制御装置１００との間で情報の送受信を行う。通信部１１は、例えばＮＩＣ（Network  Interface  Card）等によって実現される。
【００３９】
（入力部１２及び表示部１３について）
入力部１２は、ユーザから各種操作を受け付ける入力装置である。例えば、入力部１２は、ユーザ端末１０に備えられた操作キー等によって実現される。表示部１３は、各種情報を表示するための表示装置である。例えば、表示部１３は、液晶ディスプレイ等によって実現される。なお、ユーザ端末１０にタッチパネルが採用される場合には、入力部１２の一部と表示部１３とは一体化される。
【００４０】
（検知部１４について）
検知部１４は、ユーザ端末１０に関する各種情報を検知する。具体的には、検知部１４は、ユーザ端末１０に対するユーザの操作や、ユーザ端末１０の所在する位置情報や、ユーザ端末１０と接続されている機器に関する情報や、ユーザ端末１０における環境等を検知する。図３に示す例では、検知部１４は、操作検知部１４１と、位置検知部１４２と、外部装置検知部１４３と、環境検知部１４４とを有する。
【００４１】
（操作検知部１４１について）
操作検知部１４１は、ユーザ端末１０に対するユーザの操作を検知する。例えば、操作検知部１４１は、入力部１２に入力された情報に基づいて、ユーザの操作を検知する。すなわち、操作検知部１４１は、入力部１２に画面をタッチする操作の入力があったことや、音声の入力があったこと等を検知する。また、操作検知部１４１は、ユーザによって所定のアプリが起動されたことを検知してもよい。かかるアプリがユーザ端末１０内の撮像装置を動作させるアプリである場合、操作検知部１４１は、ユーザによって撮像機能が利用されていることを検知する。また、操作検知部１４１は、ユーザ端末１０内に備えられた加速度センサやジャイロセンサ等で検知されたデータに基づき、ユーザ端末１０自体が動かされているといった操作を検知してもよい。
【００４２】
（位置検知部１４２について）
位置検知部１４２は、ユーザ端末１０の現在位置を検知する。具体的には、位置検知部１４２は、ＧＰＳ衛星から送出される電波を受信し、受信した電波に基づいてユーザ端末１０の現在位置を示す位置（例えば、緯度及び経度）を検知する。
【００４３】
位置検知部１４２は、種々の手法により位置を検知することができる。例えば、位置検知部１４２は、ＧＰＳ衛星に限らず、ユーザ端末１０の様々な通信機能を利用して位置を検知してもよい。
【００４４】
例えば、位置検知部１４２は、ユーザ端末１０のＷｉ−Ｆｉ（登録商標）通信機能や、各通信会社が備える通信網を利用して、ユーザ端末１０の位置を検知する。具体的には、位置検知部１４２は、Ｗｉ−Ｆｉ通信等を行い、付近の基地局やアクセスポイントとの距離を測位することにより、自装置の位置を検知する。
【００４５】
また、位置検知部１４２は、ユーザ端末１０のＢｌｕｅｔｏｏｔｈ（登録商標）機能を利用して位置を検知してもよい。例えば、位置検知部１４２は、Ｂｌｕｅｔｏｏｔｈ機能によって接続されるビーコン（ｂｅａｃｏｎ）発信機と接続することにより、自装置の位置を検知する。
【００４６】
また、位置検知部１４２は、加速度センサやジャイロセンサ等を利用したＰＤＲ（Pedestrian  Dead  Reckoning）技術を利用して自装置の位置を検知してもよい。また、位置検知部１４２は、予め測定された構造物の地磁気のパターンと、自装置が備える地磁気センサとに基づいて、自装置の位置を検知してもよい。
【００４７】
また、例えば、ユーザ端末１０が駅改札や商店等で使用される非接触型ＩＣカードと同等の機能を備えている場合（もしくは、ユーザ端末１０が非接触型ＩＣカードの履歴を読み取る機能を備えている場合）、ユーザ端末１０によって駅での乗車料金の決済等が行われた情報とともに、使用された位置が記録される。位置検知部１４２は、かかる情報を取得することで、ユーザ端末１０の位置を検知してもよい。また、位置は、ユーザ端末１０が備える光学式センサや、赤外線センサ等によって検知されてもよい。
【００４８】
位置検知部１４２は、上述した手法の一つ又は組合せを用いて、自装置の位置を検知する。そして、後述する取得部１６１は、位置検知部１４２が検知した位置と、検知した時間との情報に基づいて、ユーザ端末１０の位置情報を取得する。
【００４９】
（外部装置検知部１４３について）
外部装置検知部１４３は、ユーザ端末１０に接続される外部装置を検知する。例えば、外部装置検知部１４３は、外部装置との相互の通信パケットのやり取りなどに基づいて、外部装置を検知する。そして、外部装置検知部１４３は、検知した外部装置をユーザ端末１０と接続される端末として認識する。また、外部装置検知部１４３は、外部装置との接続の種類を検知してもよい。例えば、外部装置検知部１４３は、外部装置と有線で接続されているか、無線通信で接続されているかを検知する。また、外部装置検知部１４３は、無線通信で用いられている通信方式等を検知してもよい。また、外部装置検知部１４３は、外部装置が発する電波を検知する電波センサや、電磁波を検知する電磁波センサ等によって取得される情報に基づいて、外部装置を検知してもよい。
【００５０】
（環境検知部１４４について）
環境検知部１４４は、ユーザ端末１０における環境を検知する。環境検知部１４４は、ユーザ端末１０に備えられた各種センサや機能を利用し、環境に関する情報を検知する。例えば、環境検知部１４４は、ユーザ端末１０の周囲の音を収集するマイクロフォンや、ユーザ端末１０の周囲の照度を検知する照度センサや、ユーザ端末１０の物理的な動きを検知する加速度センサ（又は、ジャイロセンサなど）や、ユーザ端末１０の周囲の湿度を検知する湿度センサや、ユーザ端末１０の所在位置における磁場を検知する地磁気センサ等を利用する。そして、環境検知部１４４は、各種センサを用いて、種々の情報を検知する。例えば、環境検知部１４４は、ユーザ端末１０の周囲における騒音レベルや、ユーザ端末１０の周囲が撮像に適する照度であるか等を検知する。さらに、環境検知部１４４は、カメラで撮影された写真や映像に基づいて周囲の環境情報を検知してもよい。
【００５１】
（記憶部１５について）
記憶部１５は、各種情報を記憶する。記憶部１５は、例えば、ＲＡＭ（Random  Access  Memory)、フラッシュメモリ（Flash  Memory）等の半導体メモリ素子、または、ハードディスク、光ディスク等の記憶装置によって実現される。例えば、記憶部１５は、検知部１４によって検知された各種情報を、検知された日時と対応付けて記憶する。具体的には、記憶部１５は、位置検知部１４２によって検知された位置に基づく位置情報を記憶する。
【００５２】
（制御部１６について）
制御部１６は、例えば、コントローラ（controller）であり、ＣＰＵ（Central  Processing  Unit）やＭＰＵ（Micro  Processing  Unit）等によって、ユーザ端末１０内部の記憶装置に記憶されている各種プログラムがＲＡＭを作業領域として実行されることにより実現される。また、制御部１６は、コントローラであり、例えば、ＡＳＩＣ（Application  Specific  Integrated  Circuit）やＦＰＧＡ（Field  Programmable  Gate  Array）等の集積回路により実現される。
【００５３】
制御部１６は、情報制御装置１００にユーザ端末１０の位置情報を提供する処理を制御する。例えば、制御部１６は、ユーザ端末１０の位置情報の提供処理を実現するためのプログラム（アプリケーション）を実行制御する。プログラムは、予めユーザ端末１０にインストールされていてもよいし、ユーザ端末１０を有するユーザＵ０１による操作に従ってサーバ装置（情報制御装置１００、又は、各種プログラムを提供する外部サーバ）からダウンロードされ、ユーザ端末１０にインストールされてもよい。
【００５４】
図３に示すように、制御部１６は、取得部１６１と、受付部１６２と、受信部１６３と、送信部１６４とを有し、以下に説明する情報処理の機能や作用を実現または実行する。例えば、制御部１６は、ＲＡＭを作業領域として上述したプログラムを実行することにより、以下に説明する情報処理の機能や作用を実現する。なお、制御部１６の内部構成は、図３に示した構成に限られず、後述する情報処理を行う構成であれば他の構成であってもよい。また、制御部１６が有する各処理部の接続関係は、図３に示した接続関係に限られず、他の接続関係であってもよい。
【００５５】
（取得部１６１について）
取得部１６１は、各種情報を取得する。例えば、取得部１６１は、検知部１４を制御することにより、検知部１４によって検知される各種情報を取得する。例えば、取得部１６１は、位置検知部１４２によって検知された情報に基づいて、ユーザ端末１０の位置情報を取得する。なお、取得部１６１は、位置情報に限らず、ユーザ端末１０の周囲の環境に関する情報等の各種センサ情報を含む、ユーザ端末１０のコンテキストに関する情報を取得してもよい。
【００５６】
取得部１６１は、所定の時間毎に位置情報を取得するようにしてもよい。例えば、取得部１６１は、定期的（１分毎や、３分毎や、５分毎等）に、上述した検知部１４を制御すること等により、位置情報を取得する。なお、取得部１６１が位置情報を取得するタイミングは、情報制御装置１００によって設定されてもよい。
【００５７】
（受付部１６２について）
受付部１６２は、位置情報設定のユーザによる設定操作を受け付ける。例えば、受付部１６２は、ユーザ端末１０にインストールされたサービスアプリの機能を介して、位置情報設定を設定するためのインターフェイスをユーザに提供する。そして、受付部１６２は、インターフェイスを介して、ユーザによって選択される位置情報設定を受け付ける。
【００５８】
（受信部１６３について）
受信部１６３は、各種情報を受信する。例えば、受信部１６３は、情報制御装置１００から送信される位置情報の要求を受信する。受信部１６３は、受信した情報を、制御部１６の各処理部へ送る。
【００５９】
（送信部１６４について）
送信部１６４は、各種情報を送信する。例えば、送信部１６４は、受信部１６３に受信された要求に従い、位置情報を情報制御装置１００に送信する。また、送信部１６４は、位置情報設定を情報制御装置１００に送信する。
【００６０】
例えば、送信部１６４は、ユーザを識別するための識別情報（ユーザＩＤ）と、取得部１６１によって取得された位置情報や受付部１６２によって受け付けたられた位置情報設定とを対応付けて、情報制御装置１００に送信する。このとき、送信部１６４は、取得部１６１によって位置情報が取得されるたびに位置情報等を情報制御装置１００に送信してもよいし、所定の期間毎に位置情報等を情報制御装置１００に送信してもよい。例えば、送信部１６４は、定期的（１分毎、３分毎、５分毎、１時間毎など）に位置情報が取得された場合であっても、位置情報設定において設定された時間毎に位置情報を情報制御装置１００に送信するようにしてもよい。また、送信部１６４が位置情報を取得するタイミングは、情報制御装置１００によって設定されてもよい。
【００６１】
〔４．情報制御装置の構成〕
次に、図４を用いて、実施形態に係る情報制御装置１００の構成について説明する。図４は、実施形態に係る情報制御装置１００の構成例を示す図である。図４に示すように、情報制御装置１００は、通信部１１０と、記憶部１２０と、制御部１３０とを有する。なお、情報制御装置１００は、情報制御装置１００を利用する管理者等から各種操作を受け付ける入力部（例えば、キーボードやマウス等）や、各種情報を表示するための表示部（例えば、液晶ディスプレイ等）を有してもよい。
【００６２】
（通信部１１０について）
通信部１１０は、例えばＮＩＣ等によって実現される。通信部１１０は、ネットワークＮと有線又は無線で接続され、ネットワークＮを介して、ユーザ端末１０との間で情報の送受信を行う。
【００６３】
（記憶部１２０について）
記憶部１２０は、例えば、ＲＡＭ、フラッシュメモリ等の半導体メモリ素子、または、ハードディスク、光ディスク等の記憶装置によって実現される。記憶部１２０は、ユーザ情報記憶部１２１と、位置情報記憶部１２２と、サービス情報記憶部１２３とを有する。
【００６４】
（ユーザ情報記憶部１２１について）
ユーザ情報記憶部１２１は、ユーザに関する情報を記憶する。ここで、図５に、実施形態に係るユーザ情報記憶部１２１の一例を示す。図５は、実施形態に係るユーザ情報記憶部１２１の一例を示す図である。図５に示すように、ユーザ情報記憶部１２１は、「ユーザＩＤ」、「端末ＩＤ」、「位置情報設定」、「属性情報」といった項目を有する。
【００６５】
「ユーザＩＤ」は、ユーザを識別する識別情報を示す。なお、本明細書中では、図５に示すような識別情報を参照符号として用いる場合がある。例えば、ユーザＩＤ「Ｕ０１」によって識別されるユーザを「ユーザＵ０１」と表記する場合がある。「端末ＩＤ」は、ユーザが利用するユーザ端末１０を識別する識別情報を示す。なお、各ユーザは、複数の端末を所有していてもよい。
【００６６】
「位置情報設定」は、ユーザによって設定される情報であって、ユーザが情報制御装置１００に提供する位置情報の程度を示す。
【００６７】
「属性情報」は、ユーザの属性に関する情報を示す。なお、図５に示した例では、属性情報を「Ｄ０１」といった概念で表記しているが、実際には、属性情報の項目には、ユーザの年齢や性別や職業や年収や居住地等の種々の具体的な情報が記憶される。
【００６８】
すなわち、図５では、ユーザ情報記憶部１２１に記憶されるデータの一例として、ユーザＩＤ「Ｕ０１」によって示されるユーザＵ０１が、端末ＩＤ「Ｃ０１」で識別されるユーザ端末１０を利用していることを示している。また、ユーザＵ０１の位置情報設定は「レベルＡ」であり、属性情報が「Ｄ０１」であることを示している。
【００６９】
なお、図５での図示は省略したが、ユーザ情報記憶部１２１には、サービスの利用履歴等に基づいて、ユーザの興味関心情報や、ユーザの行動履歴等が記憶されてもよい。例えば、興味関心情報は、種々のサービスの利用を介して、情報制御装置１００によってユーザに設定される情報（ユーザの購買履歴や検索履歴から、ユーザが興味関心を抱いていると想定されるカテゴリや情報の内容等）である。また、行動履歴情報は、種々のサービスにおけるユーザの行動履歴（ウェブページ等の閲覧履歴や、商品の購買履歴や、検索履歴等）である。
【００７０】
（位置情報記憶部１２２について）
位置情報記憶部１２２は、ユーザの位置情報に関する情報を記憶する。ここで、図６に、実施形態に係る位置情報記憶部１２２の一例を示す。図６は、実施形態に係る位置情報記憶部１２２の一例を示す図である。図６に示した例では、位置情報記憶部１２２は、「端末ＩＤ」、「ユーザＩＤ」、「位置情報」、といった項目を有する。また、「位置情報」の項目は、「位置情報設定」、「取得日時」、「位置」、「センサデータ」といった小項目を有する。
【００７１】
「端末ＩＤ」及び「ユーザＩＤ」は、図５に示した同一の項目に対応する。「位置情報」は、ユーザに対応付けられて記憶される位置情報を示す。「位置情報設定」は、図５に示した同一の項目に対応する。「取得日時」は、位置がユーザ端末１０によって検知（取得）された日時を示す。「位置」は、ユーザ（言い換えればユーザ端末１０）の具体的な位置を示す。図６では、位置を「Ｇ０１」といった概念で表記しているが、実際には、位置の項目には、ユーザの位置を示す具体的な情報（例えば経度や緯度の数値等）が記憶される。「センサデータ」は、位置が検知された際に、各種センサによって検知された情報を示す。図６では、センサデータを「Ｘ０１」といった概念で表記しているが、実際には、センサデータの項目には、気温や湿度等の各種センサによって取得された具体的な情報が記憶される。
【００７２】
すなわち、図６では、位置情報記憶部１２２に記憶されるデータの一例として、端末ＩＤ「Ｃ０１」によって識別されるユーザ端末１０を利用するユーザＵ０１は、位置情報設定が「レベルＡ」であり、取得日時「Ｔ０１」において位置「Ｇ０１」に所在し、センサデータが「Ｘ０１」であったという位置情報と対応付けて記憶されていることを示している。
【００７３】
（サービス情報記憶部１２３について）
サービス情報記憶部１２３は、ユーザに提供されるサービスに関する情報を記憶する。ここで、図７に、実施形態に係るサービス情報記憶部１２３の一例を示す。図７は、実施形態に係るサービス情報記憶部１２３の一例を示す図である。図７に示した例では、サービス情報記憶部１２３は、「サービスＩＤ」、「サービス内容」、「位置情報設定」、「サービスレベル」といった項目を有する。
【００７４】
「サービスＩＤ」は、サービスを識別する識別情報を示す。「サービス内容」は、サービスの具体的な内容を示す。「位置情報設定」は、サービスに対してユーザが設定する位置情報設定を示す。「サービスレベル」は、位置情報設定毎に設定される、サービスの提供のレベルを示す。
【００７５】
すなわち、図７では、サービス情報記憶部１２３に記憶されるデータの一例として、サービスＩＤ「Ｊ０１」で識別されるサービスＪ０１は、サービス内容が「災害情報発信サービス」であることを示している。また、サービスＪ０１では、ユーザによって設定された位置情報設定が「ＯＦＦ」である場合、「一般災害情報」をユーザに提供することを示している。同様に、サービスＪ０１では、ユーザによって設定された位置情報設定が「レベルＡ」である場合、「都道府県レベルの災害情報」や「１時間ごとの情報配信」をユーザに提供することを示し、位置情報設定が「レベルＢ」である場合、「市町村レベルの災害情報」や「１時間ごとの情報配信」をユーザに提供することを示し、位置情報設定が「レベルＣ」である場合、「自宅近辺の災害情報」や「１５分ごとの情報配信」をユーザに提供することを示し、位置情報設定が「ＭＡＸ」である場合、「自宅近辺の災害情報」や「リアルタイムな情報配信」をユーザに提供することを示している。
【００７６】
（制御部１３０について）
制御部１３０は、例えば、コントローラであり、ＣＰＵやＭＰＵ等によって、情報制御装置１００内部の記憶装置に記憶されている各種プログラム（情報制御プログラムの一例に相当）がＲＡＭを作業領域として実行されることにより実現される。また、制御部１３０は、コントローラであり、例えば、ＡＳＩＣやＦＰＧＡ等の集積回路により実現される。
【００７７】
図４に示すように、制御部１３０は、取得部１３１と、情報制御部１３２と、提供部１３３とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００７８】
（取得部１３１について）
取得部１３１は、各種情報を取得する。例えば、取得部１３１は、ユーザがサービス側に提供する位置情報の程度を示す情報であって、当該ユーザによって設定される情報である位置情報設定を取得する。例えば、取得部１３１は、ユーザからサービスへの利用要求（例えば、ユーザが災害情報発信サービスを利用することを所望するリクエスト）を受け付けたことを契機として、ユーザに対して位置情報設定の設定を促す。そして、取得部１３１は、例えば図１に示したインターフェイス５０を介して、ユーザから位置情報設定を取得する。
【００７９】
取得部１３１は、位置情報設定として、ユーザがサービス側に位置情報を提供する頻度を取得する。具体的には、取得部１３１は、頻度として、ユーザ端末１０からサービス側に位置情報が送信される時間間隔等の設定情報を取得する。すなわち、取得部１３１は、位置情報を送信する時間間隔の具体的な数値を取得する。なお、取得部１３１は、ユーザから頻度を示す具体的な情報の設定を受け付けてもよいし、図１に示したようなスライダ５４の調整等に対応する数値（１５分毎、１時間毎など）を受け付けてもよい。
【００８０】
また、取得部１３１は、位置情報設定として、ユーザがサービス側に提供する位置情報の精度を取得する。具体的には、取得部１３１は、ユーザの位置をどのくらいの精度で特定可能な情報を情報制御装置１００に提供するか、といった設定情報を取得する。
【００８１】
例えば、取得部１３１は、数１００メートル単位で位置を特定可能な程度の位置情報を情報制御装置１００に提供する、といったユーザの設定情報を取得したり、数メートル単位で位置を特定可能な程度の位置情報を情報制御装置１００に提供する、といったユーザの設定情報を取得したりする。これにより、ユーザは、プライバシーとサービスの質とのバランスを自身で任意に行うことができる。
【００８２】
また、取得部１３１は、位置情報設定として、ユーザが利用するユーザ端末１０の位置情報が取得される際の取得手段に関する設定を取得してもよい。
【００８３】
上述のように、ユーザ端末１０は、種々の機能（取得手段）を用いて位置を検知する。そして、一般に、位置情報は、検知に用いられる機能によって精度が異なる。例えば、ＧＰＳでユーザの位置を検知する場合と、Ｗｉ−Ｆｉによる通信機能を用いてユーザの位置を検知する場合と、ビーコンによる通信機能を用いてユーザの位置を検知する場合とでは、ユーザの位置を特定する精度が異なる。例えば、ビーコンによる通信機能を用いてユーザの位置を検知する場合、建物内のどこにユーザが所在しているかといった、数メートル範囲の精度でユーザの位置を特定可能である。一方で、ＧＰＳでユーザの位置を検知する場合、建物内のどこにユーザが所在しているかといった数メートル範囲の精度でユーザの位置を特定することは難しい。
【００８４】
このため、ユーザは、位置情報設定において、例えば位置情報の検知に利用される取得手段を特定して、提供する位置情報の精度に差異を付けることが可能である。例えば、自宅を特定されることを回避したいユーザは、ある程度の誤差を含むと想定される程度の取得手段（例えば、Ｗｉ−ＦｉやＧＰＳなど）のみで取得された位置情報を情報制御装置１００に提供する、といった設定を行うことができる。一方、より上質なサービスを受けることを所望するユーザは、正確な測位が可能な取得手段（ビーコンなど）によって取得された位置情報を情報制御装置１００に提供する、といった設定を行うことができる。取得部１３１は、このような取得手段に関する設定を、位置情報設定が含む一つの設定情報として取得する。
【００８５】
また、取得部１３１は、位置情報設定として、日常的にユーザが所定時間を超えて所在する位置である拠点に関する情報を、当該ユーザがサービス側に提供する位置情報から除外するか否かの設定を取得してもよい。例えば、ユーザは、情報制御装置１００に位置情報を提供しつつも、自宅や勤務先に関係すると想定される位置情報の提供は望まない場合がある。このとき、ユーザは、位置情報設定として、日常的にユーザが所定時間を超えて所在する位置（拠点）に関する情報を除外する設定を行うことができる。例えば、ユーザは、１日のうち、所定の閾値を超える時間にわたって同じ位置に所在することを示す位置情報については情報制御装置１００に送信しない、等の設定を行う。これにより、ユーザは、拠点に関する情報を送信せずにサービスの提供を受けることができる。このような設定は、例えば、図１に示したインターフェイス５０にオプションとして表示されてもよい。ユーザは、かかるオプションを選択することで、拠点に関する位置情報を情報制御装置１００に送信しないような設定を行うことができる。取得部１３１は、このようなユーザによる設定情報を取得する。
【００８６】
また、取得部１３１は、位置情報設定に従って、ユーザ端末１０からユーザの位置情報を取得する。具体的には、取得部１３１は、位置情報として、ユーザ端末１０によって検知されたり、取得されたりした各種情報を取得する。取得部１３１は、所定の時間間隔でユーザ端末１０から位置情報を取得し、取得した位置情報を位置情報記憶部１２２に格納する。
【００８７】
なお、取得部１３１は、位置情報に対応する地図情報を取得してもよい。地図情報は、例えば、地図情報を表示するアプリケーションや、カーナビゲーション機能を提供するためのアプリケーション等を提供するサービス提供者から取得する。
【００８８】
また、取得部１３１は、位置情報以外のユーザに関する各種情報を取得してもよい。例えば、取得部１３１は、利用するサービスにおいてユーザが登録した情報に基づいて、ユーザの属性情報を取得する。また、取得部１３１は、サービスにおけるユーザの興味関心情報や、ユーザの行動履歴情報を取得する。取得部１３１は、種々の既存の技術（例えば、ユーザの興味関心や行動に基づいて広告を配信するための広告配信技術等）を利用して、種々の情報を取得してもよい。
【００８９】
なお、取得部１３１は、曜日情報を含めた日時情報とともに位置情報を取得するようにしてもよい。例えば、位置情報を用いたサービス提供は、ユーザが平日の早朝に所在する位置や、平日の昼間に所在する位置や、休日に所在する位置など、日時や曜日との関係性によって行われる場合がある。このため、取得部１３１は、曜日情報を含めた日時情報とともに位置情報を取得することで取得する位置情報の情報量を高め、より精度の高い情報制御処理が行われるようにしてもよい。
【００９０】
また、取得部１３１は、必ずしもユーザ端末１０が位置を検知した時間と同じ時間に位置情報を取得しなくてもよい。すなわち、取得部１３１は、リアルタイムに位置情報を取得するのではなく、処理に利用する際に、ユーザ端末１０の記憶部に記憶されている位置情報をまとめて取得するようにしてもよい。
【００９１】
また、取得部１３１は、位置情報として、ユーザ端末１０と他の装置における通信の状況を取得してもよい。具体的には、取得部１３１は、ユーザ端末１０がアクセスポイントを介してインターネットなどにアクセスしている通信状況を取得する。この場合、取得部１３１は、アクセスポイントとの通信状況から検出される情報を位置情報として取得する。具体的には、取得部１３１は、ユーザ端末１０と通信中のアクセスポイントの設置位置を割り出し、割り出したアクセスポイントの設置位置に基づいて、ユーザ端末１０の位置情報として取得するようにしてもよい。また、取得部１３１は、上述のように、駅改札の装置とユーザ端末１０との通信を検出することでユーザ端末１０の位置情報を取得したり、ユーザ端末１０のＩＰアドレスに基づいて位置情報を取得したりしてもよい。
【００９２】
（情報制御部１３２について）
情報制御部１３２は、取得部１３１によって取得された位置情報設定に基づいて、ユーザに提供されるサービスのレベルを制御する。
【００９３】
例えば、情報制御部１３２は、位置情報設定の設定情報の一つとして、ユーザがサービス側に位置情報を提供する頻度に基づいて、ユーザに提供されるサービスのレベルを制御する。具体的には、情報制御部１３２は、情報制御装置１００が位置情報を取得可能な頻度に合わせてユーザに災害情報を発信するよう、サービスのレベルを制御する。より具体的には、情報制御部１３２は、位置情報を取得する時間間隔に合わせて災害情報を発信するようサービスを制御する。
【００９４】
また、情報制御部１３２は、位置情報設定の設定情報の一つとして、ユーザがサービス側に提供する位置情報の精度に基づいて、ユーザに提供されるサービスのレベルを制御してもよい。具体的には、情報制御部１３２は、情報制御装置１００が位置情報を取得可能な精度に合わせてユーザに災害情報を発信するよう、サービスのレベルを制御する。より具体的には、情報制御部１３２は、ユーザから精度の高い位置情報が提供されるほど、より当該ユーザにパーソナライズされた情報（ユーザの現在所在地や自宅近辺に対する災害情報など）がユーザに発信されるようサービスを制御する。
【００９５】
また、情報制御部１３２は、位置情報設定の設定情報の一つとして、ユーザ端末１０の位置情報が取得される際の取得手段に関する設定に基づいて、ユーザに提供されるサービスのレベルを制御してもよい。例えば、情報制御部１３２は、ビーコンのように詳細な位置を取得可能な取得手段に基づいて取得された位置情報を提供するユーザに対して、より質の高いサービス（よりパーソナライズされたサービスや、充実した情報を包含した災害情報を発信するサービスなど）が提供されるよう制御してもよい。
【００９６】
また、情報制御部１３２は、ユーザが拠点に関する情報をサービス側に提供する位置情報から除外するか否かの設定に基づいて、ユーザに提供されるサービスのレベルを制御してもよい。例えば、情報制御部１３２は、ユーザの拠点を含む位置情報を取得した場合には、より当該ユーザにパーソナライズされた情報がユーザに発信されるようにサービスを制御してもよい。
【００９７】
（提供部１３３について）
提供部１３３は、情報制御部１３２によって制御されたレベルに基づいて、ユーザにサービスを提供する。例えば、提供部１３３は、位置情報を情報制御装置１００に送信するユーザに対して、位置情報の提供の程度に対応した災害情報発信サービスを提供する。
【００９８】
〔５．処理手順〕
次に、図８及び図９を用いて、実施形態に係る情報制御装置１００による処理の手順について説明する。まず、図８を用いて、情報制御装置１００による位置情報設定の取得処理の手順について説明する。図８は、実施形態に係る処理手順を示すフローチャート（１）である。
【００９９】
図８に示すように、情報制御装置１００は、ユーザからサービスの利用要求を受け付けたか否かを判定する（ステップＳ１０１）。情報制御装置１００は、サービスの利用要求を受け付けていない場合（ステップＳ１０１；Ｎｏ）、受け付けるまで待機する。
【０１００】
一方、サービスの利用要求を受け付けた場合（ステップＳ１０１；Ｙｅｓ）、続けて情報制御装置１００は、位置情報設定をユーザから取得したか否かを判定する（ステップＳ１０２）。情報制御装置１００は、位置情報設定をユーザから取得していない場合（ステップＳ１０２；Ｎｏ）、取得するまで待機する。
【０１０１】
一方、位置情報設定をユーザから取得した場合（ステップＳ１０２；Ｙｅｓ）、情報制御装置１００は、ユーザと位置情報設定とを対応付けて記憶部１２０内に格納する（ステップＳ１０３）。
【０１０２】
次に、図９を用いて、情報制御装置１００によるサービスのレベルの制御処理の手順について説明する。図９は、実施形態に係る処理手順を示すフローチャート（２）である。
【０１０３】
情報制御装置１００は、取得した位置情報設定で定義された位置情報取得のタイミングが到来したか否かを判定する（ステップＳ２０１）。例えば、情報制御装置１００は、図７で示したような位置情報設定とサービスレベルとの定義に基づき、サービスを提供するタイミングに合わせて位置情報を取得するものとする。例えば、図７の例では、位置情報設定がレベルＡと設定されている場合、情報制御装置１００は、１時間ごとの情報配信が可能なようなタイミングで位置情報を取得するものとする。
【０１０４】
情報制御装置１００は、位置情報取得のタイミングが到来したと判定した場合（ステップＳ２０１；Ｙｅｓ）、ユーザの位置情報を取得する（ステップＳ２０２）。ユーザの位置情報を取得した場合や、位置情報取得のタイミングが到来していない場合（ステップＳ２０１；Ｎｏ）、情報制御装置１００は、位置情報設定で定義されたサービス提供のタイミングが到来したか否かを判定する（ステップＳ２０３）。
【０１０５】
情報制御装置１００は、サービス提供のタイミングが到来したと判定した場合（ステップＳ２０３；Ｙｅｓ）、位置情報設定に基づいてユーザにサービスを提供する（ステップＳ２０４）。
【０１０６】
ユーザにサービスを提供した場合や、サービス提供のタイミングが到来していない場合（ステップＳ２０３；Ｎｏ）、情報制御装置１００は、ユーザからサービス終了の要求を受け付けたか否かを判定する（ステップＳ２０５）。サービス終了の要求を受け付けた場合には（ステップＳ２０５；Ｙｅｓ）、情報制御装置１００は、サービスのレベルの制御処理を終了する。サービス終了の要求を受け付けていない場合（ステップＳ２０５；Ｎｏ）、情報制御装置１００は、ステップＳ２０１の処理を繰り返す。
【０１０７】
なお、情報制御装置１００は、ステップＳ２０５におけるサービス終了の要求については、任意のタイミングで受け付けてもよい。例えば、ユーザは、ユーザ端末１０上でアプリを終了すること等によって、情報制御装置１００にサービス終了の要求を送信することができる。
【０１０８】
〔６．変形例〕
上述した情報制御装置１００は、上記実施形態以外にも種々の異なる形態にて実施されてよい。そこで、以下では、実施形態の変形例について説明する。
【０１０９】
〔６−１．複数のサービスの制御〕
上述した実施形態では、情報制御装置１００が、位置情報設定に基づいて、災害情報発信サービスのような一つのサービスのレベルを制御する例を示した。ここで、情報制御装置１００は、ユーザが所望した位置情報設定に基づいて、複数のサービスのレベルを制御してもよい。
【０１１０】
すなわち、情報制御装置１００は、複数のサービスに共通して設定される位置情報設定を取得し、取得した位置情報設定に基づいて、ユーザに提供される複数のサービスのレベルを一括に制御してもよい。この点について、図１０を用いて説明する。図１０は、変形例に係るサービス情報記憶部２２３の一例を示す図である。
【０１１１】
サービス情報記憶部２２３には、サービスＩＤ「Ｊ０２」や「Ｊ０３」で識別されるサービスＪ０２やサービスＪ０３の情報が記憶される。図１０に示すように、サービスＪ０２やサービスＪ０３には、それぞれ位置情報設定とサービスレベルとが対応付けられて記憶される。
【０１１２】
ユーザは、図１で示したようなインターフェイス５０のスライダ５４の選択により、自身の位置情報設定を決定する。情報制御装置１００は、ユーザから取得した位置情報設定に基づいて、各サービスのレベルを一括に制御する。具体的には、情報制御装置１００は、ユーザが位置情報設定として「レベルＡ」を選択した場合、サービスＪ０２に係る広告配信サービスにおいて、「レベルＡ」に対応するレベルでサービスを提供する。図１０の例では、情報制御装置１００は、サービスＪ０２として、「都道府県レベルにパーソナライズされた広告配信」をユーザに提供する。
【０１１３】
また、情報制御装置１００は、サービスＪ０３に係るショッピングサービスにおいても、「レベルＡ」に対応するレベルでサービスを提供する。図１０の例では、情報制御装置１００は、サービスＪ０３として、「都道府県レベルにパーソナライズされたストアの紹介」をユーザに提供する。
【０１１４】
なお、情報制御装置１００は、図１０に示したような各サービスが異なるアプリを介して提供される場合、ユーザの位置情報設定に応じて、それぞれのアプリで提供されるレベルを制御する。すなわち、情報制御装置１００は、ユーザ端末１０にインストールされた複数のアプリに共通して設定される位置情報設定を取得し、取得した位置情報設定に基づいて、複数のアプリの各々を介してユーザに提供される各々のサービスのレベルを一括に制御してもよい。
【０１１５】
この場合、情報制御装置１００は、例えば、複数のアプリの挙動を統括するためのアプリとして、図１に示したインターフェイス５０を提供してもよい。これにより、ユーザは、各々のアプリについて位置情報設定を行う必要がなく、例えば、自宅や勤務先に係る位置情報は提供せず、その他の位置情報は提供するなど、位置情報の提供を簡易に設定することができる。また、情報制御装置１００は、例えば、災害情報発信サービスにおける位置情報設定に基づき取得された位置情報を利用して、適切なレベルで広告配信サービスを行うなど、複数のサービスをまたぎつつ、ユーザの要望に合わせた適切なサービスの制御を行うことができる。なお、情報制御装置１００は、一括としての位置情報設定に限らず、各アプリの個別の設定が可能な態様で位置情報設定を取得してもよい。
【０１１６】
〔６−２．属性情報の利用〕
情報制御装置１００は、ユーザ端末１０に検知された位置に基づく位置情報のみならず、種々の情報からユーザの位置を推定し、推定した情報に基づいてサービスを提供してもよい。また、ユーザは、このような位置の情報を情報制御装置１００に提供するか否かの設定を行ってもよい。
【０１１７】
例えば、ユーザは、サービスの利用に際して、居住地や勤務先の登録を求められる場合がある。この場合、サービス提供側（例えば情報制御装置１００）は、ユーザの居住地や勤務先の情報が取得可能であるため、ユーザ端末１０によって検知された位置を示す情報がなくとも、ユーザの自宅や勤務先を推定することが可能である。
【０１１８】
このため、ユーザは、位置情報設定として、サービスに登録した属性情報を利用したサービスの提供を受けるか否かの設定を行ってもよい。言い換えれば、ユーザは、サービスに登録した属性情報を位置情報としてサービスが利用することを許可するか否かの設定を行う。
【０１１９】
そして、情報制御装置１００は、位置情報設定として、ユーザがサービスに登録した属性情報をユーザの位置を示す情報として利用するか否かの設定を取得し、取得した設定に基づいて、ユーザに提供されるサービスのレベルを制御してもよい。なお、情報制御装置１００は、ユーザがサービスに登録した属性情報に限らず、ユーザの各種サービスの利用状況に基づいて、ユーザの位置を推定してもよい。そして、情報制御装置１００は、サービスの利用から推定される情報を、位置情報としてサービスが利用することを許可するか否かの設定を行ってもよい。例えば、情報制御装置１００は、ユーザが検索を行った際の検索クエリや、ＳＮＳ（Social  Networking  Service）の投稿情報等を取得し、取得した情報に基づいて、ユーザの位置を推定してもよい。例えば、情報制御装置１００は、日常的に同じ地域のランチに関する検索を行っているユーザは、当該地域を勤務先とするユーザであり、少なくとも昼の時間帯は当該地域に所在すると推定してもよい。また、情報制御装置１００は、日常的に同じ地域のニュースを閲覧しているユーザは、当該地域に所在する可能性が高いユーザであると推定してもよい。また、情報制御装置１００は、特定の地域に関するＳＮＳへの投稿が多いユーザは、当該特定の地域に所在する可能性が高いユーザであると推定してもよい。このように、情報制御装置１００は、ユーザの各種サービスに関する様々な情報を利用して、ユーザの位置情報を取得したり、ユーザの位置を推定したりしてもよい。そして、情報制御装置１００は、位置情報設定として、サービスの利用に基づく情報（上記のような登録情報（例えばユーザの属性情報）や、ユーザの行動から推定される情報等）をユーザの位置を示す情報として利用するか否かの設定を取得し、取得した設定に基づいて、ユーザに提供されるサービスのレベルを制御してもよい。
【０１２０】
これにより、ユーザは、サービスにおける登録情報や、サービス行動に基づいて推定される情報のうちユーザの位置を推定可能な情報もサービス側に提供し、より上質なサービスを受けるか、あるいは、自宅や勤務先などのプライバシーに関わる登録情報はサービスに利用させないようにするなど、自身の要望に沿って柔軟に設定を行うことができる。
【０１２１】
〔６−３．位置情報〕
上記実施形態では、位置情報は、ユーザ端末１０が取得するＧＰＳ情報や、アクセスポイント等から取得することを説明した。しかし、情報制御装置１００は、異なる情報からユーザ端末１０の位置情報を取得してもよい。
【０１２２】
例えば、情報制御装置１００は、ユーザが各種サービスを利用した履歴に基づいて、ユーザ端末１０の位置情報を取得してもよい。具体的には、情報制御装置１００は、路線検索サービスにおいて頻繁にユーザ端末１０から入力される駅を、ユーザの最寄り駅と推定する。そして、情報制御装置１００は、最寄り駅を含む所定範囲をユーザ端末１０が所在する地域として取得してもよい。かかる処理によれば、情報制御装置１００は、ユーザ端末１０が位置情報を取得する機能を有していない場合であっても、ユーザ端末１０の位置情報を取得することができる。
【０１２３】
〔６−４．ユーザ端末の構成〕
上記実施形態では、ユーザ端末１０の構成例について図３を用いて説明した。しかし、ユーザ端末１０は、図３で例示した全ての処理部を備えることを必ずしも要しない。例えば、ユーザ端末１０は、表示部１３や検知部１４を必ずしも備えていなくてもよい。また、ユーザ端末１０は、２以上の機器に分離されて図３を示す構成が実現されてもよい。例えば、ユーザ端末１０は、少なくとも検知部１４と取得部１６１とを有する検知装置と、少なくとも通信部１１を有する通信装置とが分離された構成を有する、２台以上の機器により実現されてもよい。
【０１２４】
〔６−５．インターフェイス〕
上記実施形態では、情報制御装置１００が、位置情報設定をユーザに選択させるための画面としてインターフェイス５０を提供する例を示した。しかし、図１に示したインターフェイス５０は一例であり、ユーザは、情報制御装置１００に提供する位置情報の頻度や精度に関して、テキスト等を用いて選択し、位置情報設定を決定してもよい。すなわち、位置情報設定の決定の態様は、図１で示した例に限らず、いずれの態様であってもよい。
【０１２５】
〔６−６．位置情報の提供〕
ユーザ端末１０は、位置情報設定に基づき、情報制御装置１００に送信する位置情報の頻度や精度を調整してもよいし、検知した位置情報については全て情報制御装置１００に送信するようにしてもよい。情報制御装置１００は、ユーザ端末１０が検知した位置情報の全てを取得した場合には、位置情報設定に基づいて、サービスに利用することのできる位置情報のみを選択して、サービスを提供するように制御する。すなわち、サービスに利用される位置情報は、ユーザ端末１０によって情報制御装置１００に送信される位置情報の情報量が変更されることによって調整されてもよいし、情報制御装置１００側によって調整されてもよい。
【０１２６】
〔６−７．情報の提供〕
上記実施形態では、ユーザがサービス側に提供する位置情報の程度の設定を行う例を示したが、ユーザは、位置情報以外の情報の程度の設定を行ってもよい。例えば、ユーザは、いわゆるＩｏＴ（Internet  of  Things）機能を有する機器からサービス側に送信される情報の設定を行ってもよい。具体的には、ユーザは、ＩｏＴ機能を有するウェアラブルデバイスの情報は提供するが、ＩｏＴ機能を有する冷蔵庫の中身の情報は提供しない、など、種々の情報に関して、サービス側に提供するか否かの選択を行うための設定を行ってもよい。また、かかる設定に関しても、ユーザは、一括して設定可能な情報設定を行ってもよい。これにより、ユーザは、自身が利用するＩｏＴ機器において提供する情報を簡易に設定することができる。また、この場合、情報制御装置１００は、ユーザが一括で設定した情報に従い、提供する様々なサービスのレベルを制御してもよい。
【０１２７】
〔６−８．レコメンド〕
情報制御装置１００は、所定の場合に、位置情報設定の変更をユーザに提案したり、位置情報設定が変更された際にユーザが得られる利点等に関する通知を行ったりしてもよい。すなわち、情報制御装置１００は、位置情報設定に関するレコメンドをユーザに対して行ってもよい。
【０１２８】
例えば、情報制御装置１００は、所定のユーザの位置情報設定がレベルＡであり、その設定がなされている期間を参照する。そして、情報制御装置１００は、設定がなされている期間が所定期間（例えば、１か月や１年など）を超えて維持されていることを参照した場合に、すなわち、設定がなされている期間が予め設定された閾値を経過したことを契機として、位置情報設定をレベルＢに上げることを当該ユーザにレコメンドする。
【０１２９】
このとき、情報制御装置１００は、ユーザが位置情報設定をレベルＢに上げた場合に得られる利点に関する情報とともに、レコメンドを行ってもよい。例えば、情報制御装置１００は、「位置情報設定がレベルＢに上がった場合には、現在の都道府県レベルの災害情報から、「市町村レベル」の災害情報を得ることができます」等、ユーザが位置情報設定のレベルを上げる利点を説明するテキストデータをユーザ端末１０に送信してもよい。
【０１３０】
このように、情報制御装置１００は、ユーザが位置情報設定を所定のレベルに設定した期間に関する情報を取得し、取得した期間に基づいて、位置情報設定の変更を促す通知をユーザに送信する。これにより、情報制御装置１００は、より積極的に位置情報設定の変更をユーザに促すことができる。
【０１３１】
また、情報制御装置１００は、ユーザの状況（コンテキスト）やサービスの状況に応じて、位置情報設定に関するレコメンドをユーザに対して行ってもよい。
【０１３２】
例えば、情報制御装置１００は、サービスに係る所定の状況が発生した場合に、レコメンドを行ってもよい。具体的には、情報制御装置１００が災害情報発信サービスを提供している場合、災害が発生したタイミング（あるいは、災害が発生してから所定時間後）で、ユーザに対してレコメンドを行ってもよい。
【０１３３】
例えば、情報制御装置１００は、「昨晩のような雪では、より詳細な位置情報を提供いただくことで、自宅が避難レベルにあるかどうか判断できます。位置情報の取得レベルをアップしますか。」のように、ユーザのニーズにつながると想定されるタイミングでレコメンドを行う。
【０１３４】
また、情報制御装置１００は、例えば、個人情報漏洩のニュースが発信されたことを契機として、位置情報設定の変更に関するレコメンドを行ってもよい。具体的には、情報制御装置１００は、ニュースの提供と同時に、「今一度ご確認ください。あなたの位置情報設定は、現在レベルＢです。レベルＢでは、市区町村単位のあなたの情報がわかります。もし、不安であればレベルＡまで下げることを推奨します。」といった通知を行う。なお、情報制御装置１００は、対象となるサービスの情報のみならず、関連するサービスの情報も通知してもよい。具体的には、情報制御装置１００は、「レベルＡまで下げた場合、広告配信サービスからクーポンが受け取れなくなる可能性がありますが、よろしいですか？」といった、他のサービスに関する情報も同時に行う。
【０１３５】
このように、情報制御装置１００は、ユーザのコンテキストを取得し、取得したコンテキストに基づいて、位置情報設定の変更を促す通知をユーザに送信してもよい。これにより、情報制御装置１００は、ユーザが位置情報設定を変更したいというニーズに合わせたタイミングで、位置情報設定の変更をユーザに促すことができる。
【０１３６】
〔６−９．コンテキストに応じた位置情報設定〕
情報制御装置１００は、ユーザの状況（コンテキスト）に応じて動的に変更される位置情報設定を受け付けてもよい。
【０１３７】
例えば、情報制御装置１００は、ユーザの位置情報に基づいて、ユーザが自宅に所在していることや、勤務先に所在していることを推定可能である。そして、情報制御装置１００は、ユーザのコンテキストごとに異なる位置情報設定を受け付ける。この場合、情報制御装置１００は、ユーザの位置情報に基づいてコンテキストが変更されたことを検知した場合（例えば、ユーザが自宅から勤務先に移動した場合など）に、位置情報設定を自動的に切り替えてもよい。
【０１３８】
例えば、ユーザは、勤務先に所在するときには、自身の個人情報が漏洩することを懸念して、位置情報設定を比較的低め（レベルＯＦＦやレベルＡ等）に設定してもよい。また、ユーザは、自宅に所在するときには、正確な災害情報を知得するため、位置情報設定を比較的高め（レベルＣやレベルＭＡＸ等）に設定してもよい。また、ユーザは、一人で過ごす場合には位置情報設定を比較的高めに設定し、家族と過ごすときには位置情報設定を比較的低めに設定してもよい。なお、ユーザが一人で過ごしているか否か等のコンテキストの判定は、例えば、ユーザ端末１０と通信を行っている他の端末装置や、アクセスポイントとの通信状況等により推定可能である。
【０１３９】
このように、情報制御装置１００は、ユーザのコンテキストを取得し、取得したコンテキストに基づいて、ユーザに提供されるサービスのレベルを動的に制御してもよい。
【０１４０】
これにより、情報制御装置１００は、ユーザの状況に合わせた適切なレベルでサービスを提供することができる。
【０１４１】
〔７．ハードウェア構成〕
上述してきた実施形態に係る情報制御装置１００やユーザ端末１０は、例えば図１１に示すような構成のコンピュータ１０００によって実現される。以下、情報制御装置１００を例に挙げて説明する。図１１は、情報制御装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１４２】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１４３】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応）を介して他の機器からデータを受信してＣＰＵ１１００へ送り、ＣＰＵ１１００が生成したデータを、通信網５００を介して他の機器へ送信する。
【０１４４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１４５】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４６】
例えば、コンピュータ１０００が実施形態に係る情報制御装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１４７】
〔８．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した情報制御部１３２と、提供部１３３とは統合されてもよい。また、例えば、記憶部１２０に記憶される情報は、ネットワークＮを介して、外部に備えられた記憶装置に記憶されてもよい。
【０１４９】
また、例えば、上記実施形態では、情報制御装置１００が、ユーザ端末１０の位置情報設定を取得する取得処理と、サービスの提供レベルを制御する情報制御処理とを行う例を示した。しかし、上述した情報制御装置１００は、取得処理を行う取得装置と、情報制御処理を行う情報制御装置とに分離されてもよい。この場合、取得装置は、取得部１３１を少なくとも有する。情報制御装置は、情報制御部１３２を少なくとも有する。また、実施形態に係る情報制御装置１００による処理は、取得装置と、情報制御装置といった各装置を含む情報制御システム１によって実現される。
【０１５０】
また、上述してきた実施形態及び変形例は、処理内容を矛盾させない範囲で適宜組み合わせることが可能である。
【０１５１】
〔９．効果〕
上述してきたように、実施形態に係る情報制御装置１００は、取得部１３１と、情報制御部１３２とを有する。取得部１３１は、ユーザがサービス側に提供する位置情報の程度を示す情報であって、ユーザによって設定される情報である位置情報設定を取得する。情報制御部１３２は、取得部１３１によって取得された位置情報設定に基づいて、ユーザに提供されるサービスのレベルを制御する。
【０１５２】
このように、実施形態に係る情報制御装置１００は、ユーザが自らの意志で位置情報を提供する程度を設定した位置情報設定に基づいて、ユーザに提供するサービスのレベルを制御する。これにより、情報制御装置１００は、例えば詳細な位置情報を提供してより充実したサービスを受けたいというユーザの要望や、例えば簡易な位置情報の提供にとどめつつ、提供した程度に合わせたサービスを受けたいというユーザの要望との双方に応えることができる。結果として、情報制御装置１００は、位置情報を一元的に取得したり利用したりするのではなく、各ユーザに合わせて適切なサービスを提供するなど、位置情報を柔軟に活用することができる。
【０１５３】
また、取得部１３１は、位置情報設定として、ユーザがサービス側に位置情報を提供する頻度を取得する。情報制御部１３２は、取得部１３１によって取得された頻度に基づいて、ユーザに提供されるサービスのレベルを制御する。
【０１５４】
このように、実施形態に係る情報制御装置１００は、位置情報の頻度の設定をユーザから取得する。ユーザは、位置情報の提供の頻度を高くすることで、より詳細なサービスを受けることができる。あるいは、ユーザは、位置情報の提供の頻度を低くすることで、例えばユーザ端末１０のバッテリーの消耗を抑えたり、自身の詳細な位置情報がサービス側に渡ることを防止したりすることができる。すなわち、情報制御装置１００は、ユーザの要望に沿ったサービス提供を行うことができる。
【０１５５】
また、取得部１３１は、位置情報設定として、ユーザがサービス側に提供する位置情報の精度を取得する。情報制御部１３２は、取得部１３１によって取得された精度に基づいて、ユーザに提供されるサービスのレベルを制御する。
【０１５６】
このように、実施形態に係る情報制御装置１００は、位置情報の精度の設定をユーザから取得する。ユーザは、提供する位置情報の精度を高くすることで、より詳細なサービスを受けることができる。あるいは、ユーザは、提供する位置情報の精度を低く抑え、簡易な手段のみで位置情報をユーザ端末１０に検知させることでバッテリーの消耗を抑えたり、自身の詳細な位置情報がサービス側に渡ることを防止したりすることができる。すなわち、情報制御装置１００は、ユーザの要望に沿ったサービス提供を行うことができる。
【０１５７】
また、取得部１３１は、位置情報設定として、ユーザが利用する端末装置の位置情報が取得される際の取得手段に関する設定を取得する。情報制御部１３２は、取得部１３１によって取得された取得手段に関する設定に基づいて、ユーザに提供されるサービスのレベルを制御する。
【０１５８】
このように、実施形態に係る情報制御装置１００は、位置情報の取得手段に関する設定をユーザから取得してもよい。これにより、情報制御装置１００は、より詳細な位置情報が取得可能な取得手段を利用するユーザについては上質なサービスを提供するなど、ユーザの位置情報の提供の程度に合わせて、適切なサービスを柔軟に提供できる。
【０１５９】
また、取得部１３１は、位置情報設定として、日常的にユーザが所定時間を超えて所在する位置である拠点に関する情報を、ユーザがサービス側に提供する位置情報から除外するか否かの設定を取得する。情報制御部１３２は、ユーザが拠点に関する情報をサービス側に提供する位置情報から除外するか否かの設定に基づいて、ユーザに提供されるサービスのレベルを制御する。
【０１６０】
このように、実施形態に係る情報制御装置１００は、拠点をユーザが提供するか否かの設定を取得し、取得した情報に基づいてサービスを制御することで、プライバシーと情報提供とのバランスのとれたサービス提供処理を行うことができる。
【０１６１】
また、取得部１３１は、複数のサービスに共通して設定される位置情報設定を取得する。情報制御部１３２は、取得部１３１によって取得された位置情報設定に基づいて、ユーザに提供される複数のサービスのレベルを一括に制御する。
【０１６２】
このように、実施形態に係る情報制御装置１００によれば、共通した位置情報設定に基づいて複数のサービスの制御が行われるため、ユーザは、サービスごとの煩わしい設定を行う手間を省くことができる。
【０１６３】
また、取得部１３１は、ユーザが利用する端末装置にインストールされた複数のアプリケーションに共通して設定される位置情報設定を取得する。情報制御部１３２は、取得部１３１によって取得された位置情報設定に基づいて、複数のアプリケーションの各々を介してユーザに提供される各々のサービスのレベルを一括に制御する。
【０１６４】
このように、実施形態に係る情報制御装置１００によれば、共通した位置情報設定に基づいて複数のアプリの制御が行われるため、ユーザは、アプリごとの煩わしい設定を行う手間を省くことができる。
【０１６５】
また、取得部１３１は、位置情報設定として、ユーザがサービスに登録した属性情報をユーザの位置を示す情報として利用するか否かの設定を取得する。情報制御部１３２は、属性情報をユーザの位置を示す情報として利用するか否かの設定に基づいて、ユーザに提供されるサービスのレベルを制御する。
【０１６６】
このように、実施形態に係る情報制御装置１００は、サービスに登録した情報についてもユーザが任意に設定可能とし、設定に基づいてサービスを制御する。これにより、情報制御装置１００は、サービスに登録した情報等をサービス提供に利用されることを望まないユーザの要望に沿ったり、登録した情報をサービス提供に利用させて、より上質なサービスの提供を望むユーザの要望に沿ったりすることができる。
【０１６７】
また、取得部１３１は、ユーザが位置情報設定を所定のレベルに設定した期間に関する情報を取得する。情報制御部１３２は、取得した期間に基づいて、位置情報設定の変更を促す通知をユーザに送信する。
【０１６８】
これにより、実施形態に係る情報制御装置１００は、より積極的に位置情報設定の変更をユーザに促すことができる。
【０１６９】
また、取得部１３１は、ユーザのコンテキストを取得する。情報制御部１３２は、取得したコンテキストに基づいて、位置情報設定の変更を促す通知をユーザに送信する。
【０１７０】
これにより、実施形態に係る情報制御装置１００は、ユーザが位置情報設定を変更したいというニーズに合わせたタイミングで、位置情報設定の変更をユーザに促すことができる。
【０１７１】
また、取得部１３１は、ユーザのコンテキストを取得する。情報制御部１３２は、取得したコンテキストに基づいて、ユーザに提供されるサービスのレベルを動的に制御する。
【０１７２】
これにより、情報制御装置１００は、ユーザの状況に合わせた適切なレベルでサービスを提供することができる。
【０１７３】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７４】
また、上述してきた「部（section、module、unit）」は、「手段」や「回路」などに読み替えることができる。例えば、取得部は、取得手段や取得回路に読み替えることができる。
【符号の説明】
【０１７５】
１  情報制御システム
１０  ユーザ端末
１００  情報制御装置
１１０  通信部
１２０  記憶部
１２１  ユーザ情報記憶部
１２２  位置情報記憶部
１２３  サービス情報記憶部
１３０  制御部
１３１  取得部
１３２  情報制御部
１３３  提供部
【図１】
2019128784.tif 000003
【図２】
2019128784.tif 000004
【図３】
2019128784.tif 000005
【図４】
2019128784.tif 000006
【図５】
2019128784.tif 000007
【図６】
2019128784.tif 000008
【図７】
2019128784.tif 000009
【図８】
2019128784.tif 000010
【図９】
2019128784.tif 000011
【図１０】
2019128784.tif 000012
【図１１】
2019128784.tif 000013
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ユーザがサービス側に提供する位置情報の程度であって、当該程度毎に異なる対象を提供するサービスを示す程度を示す情報であって、当該ユーザによって設定される情報である位置情報設定を取得する取得部と、
前記取得部によって取得された位置情報設定に基づいて、前記ユーザに提供されるサービスのレベルを制御する情報制御部と、
を備えたことを特徴とする情報制御装置。
【請求項２】
前記取得部は、
前記位置情報設定として、日常的に前記ユーザが所定時間を超えて所在する位置である拠点に関する情報を、当該ユーザがサービス側に提供する位置情報から除外するか否かの設定を取得し、
前記情報制御部は、
前記ユーザが前記拠点に関する情報をサービス側に提供する位置情報から除外するか否かの設定に基づいて、前記ユーザに提供されるサービスのレベルを制御する、
ことを特徴とする請求項１に記載の情報制御装置。
【請求項３】
ユーザがサービス側に提供する位置情報の程度を示す情報であって、当該ユーザによって設定される情報である位置情報設定として、日常的に当該ユーザが所定時間を超えて所在する位置である拠点に関する情報を、当該ユーザがサービス側に提供する位置情報から除外するか否かの設定を取得する取得部と、
前記取得部によって取得された位置情報設定として、前記ユーザが前記拠点に関する情報をサービス側に提供する位置情報から除外するか否かの設定に基づいて、前記ユーザに提供されるサービスのレベルを制御する情報制御部と、
を備えたことを特徴とする情報制御装置。
【請求項４】
前記取得部は、
前記位置情報設定として、前記ユーザがサービス側に位置情報を提供する頻度を取得し、
前記情報制御部は、
前記取得部によって取得された頻度に基づいて、前記ユーザに提供されるサービスのレベルを制御する、
ことを特徴とする請求項１〜３のいずれか一つに記載の情報制御装置。
【請求項５】
前記取得部は、
前記位置情報設定として、前記ユーザがサービス側に提供する位置情報の精度を取得し、
前記情報制御部は、
前記取得部によって取得された精度に基づいて、前記ユーザに提供されるサービスのレベルを制御する、
ことを特徴とする請求項１〜４のいずれか一つに記載の情報制御装置。
【請求項６】
前記取得部は、
前記位置情報設定として、前記ユーザが利用する端末装置の位置情報が取得される際の取得手段に関する設定を取得し、
前記情報制御部は、
前記取得部によって取得された前記取得手段に関する設定に基づいて、前記ユーザに提供されるサービスのレベルを制御する、
ことを特徴とする請求項１〜５のいずれか一つに記載の情報制御装置。
【請求項７】
前記取得部は、
複数のサービスに共通して設定される前記位置情報設定を取得し、
前記情報制御部は、
前記取得部によって取得された位置情報設定に基づいて、前記ユーザに提供される複数のサービスのレベルを一括に制御する、
ことを特徴とする請求項１〜６のいずれか一つに記載の情報制御装置。
【請求項８】
前記取得部は、
前記ユーザが利用する端末装置にインストールされた複数のアプリケーションに共通して設定される前記位置情報設定を取得し、
前記情報制御部は、
前記取得部によって取得された位置情報設定に基づいて、前記複数のアプリケーションの各々を介して前記ユーザに提供される各々のサービスのレベルを一括に制御する、
ことを特徴とする請求項７に記載の情報制御装置。
【請求項９】
前記取得部は、
前記位置情報設定として、前記ユーザのサービスの利用に基づく情報を当該ユーザの位置を示す情報として利用するか否かの設定を取得し、
前記情報制御部は、
前記ユーザのサービスの利用に基づく情報を当該ユーザの位置を示す情報として利用するか否かの設定に基づいて、前記ユーザに提供されるサービスのレベルを制御する、
ことを特徴とする請求項１〜８のいずれか一つに記載の情報制御装置。
【請求項１０】
前記取得部は、
前記ユーザが前記位置情報設定を所定のレベルに設定した期間に関する情報を取得し、
前記情報制御部は、
前記取得部によって取得された期間に基づいて、前記位置情報設定の変更を促す通知を前記ユーザに送信する、
ことを特徴とする請求項１〜９のいずれか一つに記載の情報制御装置。
【請求項１１】
前記取得部は、
前記ユーザのコンテキストを取得し、
前記情報制御部は、
前記取得部によって取得されたコンテキストに基づいて、前記位置情報設定の変更を促す通知を前記ユーザに送信する、
ことを特徴とする請求項１〜１０のいずれか一つに記載の情報制御装置。
【請求項１２】
前記取得部は、
前記ユーザのコンテキストを取得し、
前記情報制御部は、
前記取得部によって取得されたコンテキストに基づいて、前記ユーザに提供されるサービスのレベルを動的に制御する、
ことを特徴とする請求項１〜１１のいずれか一つに記載の情報制御装置。
【請求項１３】
コンピュータによって実行される情報制御方法であって、
ユーザがサービス側に提供する位置情報の程度であって、当該程度毎に異なる対象を提供するサービスを示す程度を示す情報であって、当該ユーザによって設定される情報である位置情報設定を取得する取得工程と、
前記取得工程によって取得された位置情報設定に基づいて、前記ユーザに提供されるサービスのレベルを制御する情報制御工程と、
を含んだことを特徴とする情報制御方法。
【請求項１４】
ユーザがサービス側に提供する位置情報の程度であって、当該程度毎に異なる対象を提供するサービスを示す程度を示す情報であって、当該ユーザによって設定される情報である位置情報設定を取得する取得手順と、
前記取得手順によって取得された位置情報設定に基づいて、前記ユーザに提供されるサービスのレベルを制御する情報制御手順と、
をコンピュータに実行させることを特徴とする情報制御プログラム。
【請求項１５】
コンピュータによって実行される情報制御方法であって、
ユーザがサービス側に提供する位置情報の程度を示す情報であって、当該ユーザによって設定される情報である位置情報設定として、日常的に当該ユーザが所定時間を超えて所在する位置である拠点に関する情報を、当該ユーザがサービス側に提供する位置情報から除外するか否かの設定を取得する取得工程と、
前記取得工程によって取得された位置情報設定として、前記ユーザが前記拠点に関する情報をサービス側に提供する位置情報から除外するか否かの設定に基づいて、前記ユーザに提供されるサービスのレベルを制御する情報制御工程と、
を含んだことを特徴とする情報制御方法。
【請求項１６】
ユーザがサービス側に提供する位置情報の程度を示す情報であって、当該ユーザによって設定される情報である位置情報設定として、日常的に当該ユーザが所定時間を超えて所在する位置である拠点に関する情報を、当該ユーザがサービス側に提供する位置情報から除外するか否かの設定を取得する取得手順と、
前記取得手順によって取得された位置情報設定として、前記ユーザが前記拠点に関する情報をサービス側に提供する位置情報から除外するか否かの設定に基づいて、前記ユーザに提供されるサービスのレベルを制御する情報制御手順と、
をコンピュータに実行させることを特徴とする情報制御プログラム。